(57)【特許請求の範囲】
【請求項１】
基地局（Ｂ）、複数の作動可能な移動局（Ｍ１−Ｍｎ）、および前記基地局（Ｂ）と前記複数の作動可能な移動局（Ｍ１−Ｍｎ）との間に設定され、データ伝送用の無線チャネルの時間スロットをそれぞれ占有する可変の伝送容量を有する通信リンク（Ｃ１−Ｃｍ）を備えた、複数のペイロード・データ・パケットを伝送するための通信システムであって、
それぞれが前記基地局（Ｂ）から前記複数の作動可能な移動局（Ｍ１−Ｍｎ）の各々に前記仮想接続（Ｃ１−Ｃｍ）の各々を介して伝送され、かつ、前記無線チャネルの時間スロットへの分割に関する情報を少なくとも含む第一の種類の制御データ・パケット（Ｓ１）と、
それぞれが前記仮想接続（Ｃ１−Ｃｎ）の一つを介して伝送される該仮想接続を制御するための第二の種類の制御データ・パケット（Ｓ２１−Ｓ２４）と、
それぞれが前記仮想接続（Ｃ１−Ｃｍ）の一つを介して伝送され、かつ、少なくとも一つのペイロード・データ・パケットを含む第三の種類の制御データ・パケット（Ｓ３）、および
前記第一の種類の前記制御データ・パケット（Ｓ１）、前記第二の種類の前記制御データ・パケット（Ｓ２１−Ｓ２４）および前記第三の種類の制御データ・パケット（Ｓ３）に関連して順方向誤り制御信号を伝送するための手段とを備え、前記第一の種類の制御データ・パケット（Ｓ１）についての順方向誤り制御信号は前記第二の種類の制御データ・パケット（Ｓ２１−Ｓ２４）についての順方向誤り制御信号の冗長性より大きい冗長性を示し、前記第二の種類の制御データ・パケット（Ｓ２１−Ｓ２４）についての順方向誤り制御信号は前記第三の種類の制御データ・パケット（Ｓ３）についての順方向誤り制御信号の冗長性より大きい冗長性を示すことを特徴とするシステム。
【請求項２】
請求項１において、仮想接続（Ｃ１−Ｃｍ）を介して伝送される前記第二の種類の制御データ・パケットが、該仮想接続を介した制御データ・パケットの伝送用の時間スロットの割り当てを示すための時間スロット割り当て信号を少なくとも含むヘッダ制御データ・パケット（Ｓ２１）から成ることを特徴とするシステム。
【請求項３】
請求項１または２において、仮想接続（Ｃ１−Ｃｍ）を介して伝送される前記第二の種類の制御データ・パケットが、通信を設定するための信号あるいは通信を維持するための信号を少なくとも含む接続制御データ・パケット（Ｓ２２）から成ることを特徴とするシステム。
【請求項４】
請求項１から３の一項において、仮想接続（Ｃ１−Ｃｍ）を介して伝送される前記第二の種類の制御データ・パケットが、該仮想接続のために確保された時間スロットの数に関するメッセージを少なくとも含む予約制御データ・パケット（Ｓ２３）から成ることを特徴とするシステム。
【請求項５】
請求項１から４の一項において、仮想接続（Ｃ１−Ｃｍ）を介して伝送される前記第二の種類の制御データ・パケットが、該仮想接続を介して伝送される制御データ・パケットの正誤を示すために少なくとも使用される誤り制御信号を含む誤り制御データ・パケット（Ｓ２４）から成ることを特徴とするシステム。
【請求項６】
請求項１から５の一項において、システムの負荷に対応して、前記第三の種類の制御データ・パケット（Ｓ３）よりも大きい伝送容量を前記第二の種類の制御データ・パケット（Ｓ２１−Ｓ２４）に割り当てるための手段を備えたことを特徴とするシステム。
【請求項７】
請求項１から６の一項において、前記仮想接続（Ｃ１−Ｃｍ）の少なくとも一つが複数のチャネルに分割されており、前記第二の種類の前記制御データ・パケット（Ｓ２１−Ｓ２４）が前記仮想接続を制御することを特徴とするシステム。
【請求項８】
請求項１から７の一項において、前記第三の種類の制御データ・パケット（Ｓ３）が、仮想接続（Ｃ１−Ｃｍ）および（あるいは）それに対応する仮想チャネルについての識別信号を含むことを特徴とするシステム。
【請求項９】
請求項１から８の一項において、前記第一の種類の制御データ・パケット（Ｓ１）が、前記基地局（Ｂ）を識別するための信号を含むことを特徴とするシステム。
【請求項１０】
請求項１から９の一項において、前記第三の種類の制御データ・パケット（Ｓ３）の長さが、前記第二の種類の制御データ・パケット（Ｓ２１−Ｓ２４）の長さの整数倍であることを特徴とするシステム。
【請求項１１】
請求項１から１０の一項において、前記第一の種類の制御データ・パケット（Ｓ１）および（あるいは）前記第二の種類の制御データ・パケット（Ｓ２１−Ｓ２４）が、仮想チャネルおよび（あるいは）仮想接続（Ｃ１−Ｃｍ）および（あるいは）前記基地局（Ｂ）についての識別信号を含むことを特徴とするシステム。
【請求項１２】
請求項１から１１の一項において、前記第三の種類の制御データ・パケット（Ｓ３）が、ペイロード・データ・パケットのクロノロジカル・オーダー（年代的な順序）を特徴づけるためのシーケンス・ナンバー信号を含むことを特徴とするシステム。
【請求項１３】
請求項１から１２の一項において、データ伝送をレイヤード通信モデルに対応して実行するための手段と、前記通信モデルのより高位の層からの入力を待つことなしに制御データ・パケット（Ｓ１；Ｓ２１−Ｓ２４；Ｓ３）を直接分析するための受信局（Ｂ；Ｍ１−Ｍｎ）における複号器とを備えたことを特徴とするシステム。
【請求項１４】
請求項１から１３の一項において、データ伝送をＯＳＩ参照モデルに対応して実施するための手段を備えたことを特徴とするシステム。
【請求項１５】
請求項１から１４の一項において、前記第一、第二のおよび第三の種類の前記制御データ・パケットがＭＡＣプロトコル・データを含むことを特徴とするシステム。
【請求項１６】
請求項１から１５の一項において、データ伝送をＡＴＭ（非同期転送モード）を用いて実行するための手段を備えたことを特徴とするシステム。
【請求項１７】
請求項１から１６の一項において、前記第一の種類の制御データ・パケット（Ｓ１）が、前記無線チャネルのＭＡＣ（媒体アクセス制御）時間スロット・フレーム構造を定めることを特徴とするシステム。
【請求項１８】
請求項１から１７の一項において、前記第二の種類の制御データ・パケット（Ｓ２１−Ｓ２４）が、仮想接続（Ｃ１−Ｃｍ）および（あるいは）仮想チャネルを制御するためのＭＡＣ制御データを含むことを特徴とするシステム。
【発明の詳細な説明】
【０００１】
（発明の分野）
本発明は通信システムに関するもので、特に、本発明は、基地局と複数の作動可能な移動局との間に設定される可変の伝送容量を有する複数の仮想無線通信リンクを介してデータ・パケットを伝送するための通信システムに関する。
【０００２】
（発明の背景）
データおよび音声情報を伝送するための無線通信ネットワークは、次第にその使用が増えている。無線通信ネットワークは、固定位置に置かれた端局ばかりでなく移動局にもサービスを提供することができる。そのようなネットワークでのデータ伝送は多重技術を用いて行われることが多く、そこでは、複数の通信リンクが単一の伝送チャネルを介して伝送される。そのような伝送チャネルは、例えば、無線周波数帯である。無線通信ネットワークの例としては、移動通信ネットワーク、例えば、ＧＳＭ規格に従うネットワークがある。
【０００３】
多重技術を採用した通信ネットワークでは、個々の無線チャネルが複数の時間フレームに分割されており、各時間フレーム自体は複数の時間スロットに分割されている。そこで、これらの時間スロットの各々は、発信局が通信リンクの一つを介して伝送すべきデータを時間フレームの特定の時間スロット上に置くという点で、一つの通信リンク用のデータの伝送のために使用できる。受信局では、どの時間スロットが受信局の意図するデータの伝送用に使用されているかが分かり、従って、通信リンクを介して伝送されたデータは全て受信局で復元できる。例えば、受信局は時間スロット上を伝送されてきた短いデータ・セグメントを組み合わせて連続した音声信号とする。
【０００４】
一般に、複数の通信リンクのデータを共通の媒体を介して伝送するのに異なる技術を採用することができる。一つの伝送フレームの時間スロットを通信リンクに一定に割り当てることは広く用いられている方法である。そのような一定割り当ては、例えば、ＧＳＭシステムで一般的に用いられている。
【０００５】
もし例えば４個の通信リンクのデータが共通の媒体を介して伝送されると仮定すると、該媒体の伝送フレームの各々は４個の時間スロットに分割でき、第一の通信リンクは各伝送フレームの第一の時間スロットを介して設定でき、第二の通信リンクは第二の時間スロットを介して設定でき、同様に、その他の通信リンクは第三および第四の時間スロットを介して設定できる。
【０００６】
それゆえ、該伝送媒体は各通信リンクにとっては時間的に一定の点で利用可能とされる。それゆえ、時間スロットの通信リンクへの一定割り当ては、通信リンクの各々に所定の一定容量を割り当てるものである。そのため、一般に、例えば二つのコンピュータ間でのデータの伝送用に使用される通信リンクに得られるのと同じチャネル容量が、スピーチ信号およびそれに付随するスピーチ・ポーズの伝送用に使用される通信リンクに得られるようになる。しかしながら、通信システムの効率的な利用を可能にするには、通信リンクに割り当てられる容量を伝送すべきデータ量の実際の要件に適合させるのが望ましい。
【０００７】
時間スロットを通信リンクに割り当てるための第二の一般的に用いられている方法は、通信リンクの容量要件への適合を可能にする。ここでは、通信チャネルの時間スロットの通信リンクへの反復的な一定の割り当てはもはや行われず、伝送すべきデータ量に動的に対応した割り当てが行われる。
【０００８】
コネクション型多重交換技術の一つに、ＡＴＭ（非同期転送モード）がある。ＡＴＭでは、一つの通信リンクに属するデータが伝送媒体上を周期的に伝送されるとは限らない。伝送帯域幅の加入者への割り当てを、加入者の要求に応じて行うことが可能になる。これは、加入者の一人が大きな帯域幅の使用を要求したとしても、問題に直面することなく行うことができる。ＡＴＭは、パケット交換式のネットワークと回線交換式のネットワークの利点を兼ね備えている。
【０００９】
ＡＴＭは、ＩＳＯ−ＯＳＩ参照モデルの第一層と第二層の大部分とをカバーする。ＩＳＯ（国際標準化機構）のＯＳＩ参照モデルは、解放型システム（即ち、標準に従わないシステム）間および分散型システム間の通信のためのプロトコル・レイヤーリングを規定するものである。ＯＳＩ参照モデルの第一層は物理層であり、第二層はリンク層である。
【００１０】
ＡＴＭ伝送では、所定の長さの所謂メッセージ・セルが、ヘッダ内に含まれるアドレス情報を用いて伝送単位として伝送される。一般に、ＡＴＭセルは、仮想接続（即ち、通信リンク）に関するメッセージばかりでなく、通信リンクを複数の仮想チャネルに分割できる仮想通信チャネルに関する情報も含んでいる。個々のチャネルは、データの量に応じて多数あるいは少数の時間スロットを占有することができる。
【００１１】
仮想通信リンクを介した通信適合型のデータ伝送は、今日まで、例えば、ＬＡＮ（ローカル・エリア・ネットワーク）におけるような固定回線を有する通信ネットワークで特に用いられてきた。
【００１２】
しかしながら、要件適合型のデータ伝送の利点を無線通信ネットワークに適用することが望ましい。しかし、この試みでは、固定回線を有する通信ネットワークや要件適合型の伝送（例えば、ＡＴＭに基づく交換）におけるデータ率とビット誤り率が、これらの技術を直ちに無線通信ネットワークに使用するのを許さないことが示されている。例えば、固定ネットワークでのデータ伝送のためのＡＴＭは、典型的には、１５５Ｍビット／秒のデータ率と１０ｅ−１４のビット誤り率を与える。移動通信ネットワークにおける可変通信リンク容量を備えた固定ネットワークのサービスを提供するためには、無線チャネル（５ＭＨｚ範囲での２５個のＭＨｚチャネル）用の低チャネル容量（２５Ｍビット／秒）および高ビット誤り率（１０ｅ−２）への適合が必要とされる。
【００１３】
コネクション型交換技術の適合についての規則は、例えば、ＭＡＣ（媒体アクセス制御）プロトコルに特定されている。ＭＡＣプロトコルはＯＳＩ参照モデルの第二層の副層を占有する。
【００１４】
ＭＡＣプロトコルは、移動局と基地局との間を伝送されかつ伝送媒体の使用法を決定する、多数のメッセージから成る。ＭＡＣプロトコルは、通信適合型伝送の容量を有する複数の仮想通信リンクを、多重技術を用いて設定することができる。ＭＡＣプロトコルは、一般に、上記メッセージを伝送するための異なるプロトコル・データ単位（ＰＤＵ）から成る。そのため、ＭＡＣプロトコルの効率と柔軟性は、異なる種類のプロトコル・データ単位（ＰＤＵ）の定義と密接に関連している。
【００１５】
無線の要件適合型ＡＴＭ通信用のプロトコル・データ単位の定義は、例えば、Ｄ．Ｐｅｔｒａｓ、
【外１】
0003943331.tif 000002
およびＡ．Ｈｅｔｔｉｃｈ：「ＡＴＭエアー・インターフェースのＭＡＣプロトコルのための設計原理」（Ｄｅｓｉｇｎ  Ｐｒｉｎｃｉｐｌｅｓ  ｆｏｒ  ａ  ＭＡＣ−ｐｒｏｔｏｃｏｌ  ｏｆ  ａｎ  ＡＴＭ  ａｉｒ  ｉｎｔｅｒｆａｃｅ）、Ｍｏｂｉｌｅ  Ｔｅｌｅｃｏｍｍｕｎｉｃａｔｉｏｎｓ  Ｓｕｍｍｉｔ、グラナダ、スペイン、１９９６年１１月２７−２９日から知られている。この文書には、アップリンクおよびダウンリンク伝送部分に分割された伝送フレームで伝送される四種類のプロトコル・データ単位が規定されている。ここで、アップリンク伝送部分では移動局から基地局に伝送され、ダウンリンク伝送部分では基地局から移動局に伝送される。
【００１６】
ダウンリンク伝送用のＳｉｇ−ＰＤＵは、次に続く伝送フレームのための予約メッセージと、さらに、例えば、任意の移動局からの送信用に確保された時間スロットへのアクセスを制御するための制御情報とを含む。
【００１７】
ダウンリンク伝送用のＡＴＭセルＰＤＵは、全長が５５バイトのＬＬＣ（論理リンク制御）ヘッダを有するＡＴＭセルを含む。
【００１８】
アップリンク伝送用に用いられるＳｉｇ−ＰＤＵは、例えば、長さがおよそ３バイトの容量要求あるいは受信通知を含む。
【００１９】
伝送フレームのアップリンク部分に用いられるＡＴＭセルＰＤＵは、全長が５７バイトのＡＴＭセル、ＬＬＣ（論理リンク制御）ヘッダおよび容量要求メッセージを含む。
【００２０】
しかしながら、このＭＡＣ（媒体アクセス制御）プロトコルのメッセージの四つのプロトコル・データ単位への分割は、データ伝送が効率的ではないので不利である。もしペイロード・データのｎ個のＡＴＭセルが移動局に順次伝送されるものとするなら、制御情報は、各ＡＴＭセルＰＤＵの一部であるから、ｎ回伝送されることになる。しかし、この制御情報は、ｎ個のＡＴＭセルの始めに１回伝送すれば充分である。その上、アップＡＴＭセルＰＤＵは、典型的には、重要度（重要性）が異なり、それゆえ、誤り（エラー）に対する敏感性が異なるメッセージを含んでいる。そのため、誤り訂正のための効率的な対策を提供するのは難しい。
【００２１】
さらに、ＭＡＳＣＡＲＡという名称を持つＭＡＣプロトコルが、Ｆ．Ｂａｕｃｈｏｔ、Ｓ．Ｄｅｃｒａｕｚａｔ、Ｇ．Ｍａｒｍｉｇｅｒｅ、Ｌ．ＭｅｒａｋｏｓおよびＮ．Ｐａｓｓａｓ：「ＭＡＳＣＡＲＡ、無線ＡＴＭ用のＭＡＣプロトコル」（ＭＡＳＣＡＲＡ、ａ  ＭＡＣ−ｐｒｏｔｏｃｏｌ  ｆｏｒ  ｗｉｒｅｌｅｓｓ  ＡＴＭ）、ＡＣＴＳ  Ｍｏｂｉｌｅ  Ｃｏｍｍｕｎｉｃａｔｉｏｎｓ、グラナダ、スペイン、１９９６年１１月、頁６４７−６５１から知られている。このＭＡＳＣＡＲＡプロトコルは、一連のＡＴＭセルが伝送されるセル・シーケンスの概念を定めるものである。該一連のＡＴＭセルは、同じ仮想接続に属し、ＭＡＣ−ＰＤＵ（ＭＰＤＵ）のペイロードとして伝送される。各ＭＰＤＵは、ＭＰＤＵヘッダとそれに続くＭＰＤＵ本体部分とから成る。たとえＭＡＳＣＡＲＡプロトコルが四種類のＰＤＵに基づく上記ＭＡＣプロトコルの種々の不利を避けたとしても、このＭＡＳＣＡＲＡプロトコルは、データ伝送を組織化するのに必要な短いメッセージを伝送するのに必要とされる柔軟性は提供しない。
ＥＰ０７５５１６４Ａ２は、一定ビット率、可変ビット率および有用ビット率サービスを許す無線ＡＴＭ用のマルチサービスＭＡＣプロトコルを記載している。統合した様式でサービスが計られている動的なＴＤＭＡ／ＴＤＭ／ＴＤＤ構成に基づくＭＡＣプロトコルが用いられている。アップリンクとダウンリンク伝送に、同じフレームを時分割デュプレックス様式で使用している。使用されているＭＡＣフレーム形式は、プリアンブル、同期シーケンス、フレーム・パラメータ、サブフレーム・ポインタおよびグローバル監視情報を含むフレーム・ヘッダを与える。このフレーム・ヘッダの後には、基地局から遠隔局への制御および受信通知スロットと基地局から遠隔局へのサービス・データ・セルが続く。続いて、遠隔局は、基地局への制御パケット、受信通知パケットおよびサービス・データ・セルを送信する。
Ｍｏｏｒｅ  Ｄ  ｅｔ  ａｌ：「無線ＡＴＭネットワークのための可変レート誤り制御」（Ｖａｒｉａｂｌｅ  Ｒａｔｅ  Ｅｒｒｏｒ  Ｃｏｎｔｒｏｌ  Ｆｏｒ  Ｗｉｒｅｌｅｓｓ  ＡＴＭ、Ｎｅｔｗｏｒｋｓ）、Ｃｏｍｍｕｎｉｃａｔｉｏｎｓ−Ｇａｔｅｗａｙ  ｔｏ  Ｇｌｏｂａｌｉｚａｔｉｏｎ．Ｐｒｏｃｅｅｄｉｎｇｓ  ｏｆ  ｔｈｅ  Ｃｏｎｆｅｒｅｎｃｅ  ｏｎ  Ｃｏｍｍｕｎｉｃａｔｉｏｎｓ、シアトル、１９９５年６月ａ８−２２日は、ＡＴＭに基づくＰＣＳネットワークにおける無線リンクのための誤り制御法を記載している。ＡＴＭセルのヘッダは、適当な配信と低い損失率を保証するためＦＥＣコードによって保護されている。ＡＴＭペイロードに、異なる度合いの誤り保護が、ペイロードの特質によって定まる必要なＱｏＳに応答して付与される。
【００２２】
（発明の概要）
そのため、効率的な要件適合型データ伝送を可能にする通信システムを提供することが本発明の目的である。
【００２３】
この目的は請求項１の特徴によって解決される。本発明の通信システムは、基地局と複数の作動可能な移動局との間を可変の伝送容量を有する仮想通信リンクを介して伝送される幾つかの種類の制御データ・パケットを有利に提供する。順方向誤り制御信号が制御データ・パケットに関連して伝送される。第一の種類の制御データ・パケット用の順方向誤り制御信号は第二の種類の制御データ・パケット用の順方向誤り制御信号よりも大きな冗長性を示し、さらに、第二の種類の制御データ・パケット用の順方向誤り制御信号は第三の種類の制御データ・パケット用の順方向誤り制御信号よりも大きな冗長性を示す。それゆえ、異なる種類の制御データ・パケットの重要度も誤り制御を通して効率的にアドレスできる。
【００２４】
有利なことに、制御データ・パケットの種類は、要件適合型データ伝送に必要なメッセージを含むように設計され、該メッセージはそれらの種類と重要度に従って分類されている。それゆえ、誤り訂正手段は、異なる重要度を有する制御データ・パケット毎に、該重要度を考慮して設けることができる。誤り訂正手段の導入は、既に伝送媒体の最低位の物理層上での非常に効率的な順方向誤り制御を許す。
【００２５】
さらに、適合した伝送容量を、制御データ・パケットの伝送のためにそれらの内容の重要度に応じて有利に割り当てることができる。そのため、伝送容量は、第一の種類の制御データ・パケットおよび第二の種類の制御データ・パケットに優先的に割り当てることができる。
【００２６】
制御データ・パケットの内容を選択することによって、小さなオーバヘッドで高い伝送効率が有利に達成される。さらに、制御データ・パケットの内容とそれらの長さの選択は、仮想通信リンクを制御するための情報を伝送する際に高い柔軟性と効率を許す。
【００２７】
有利なことに、第二の種類の制御データ・パケットは、仮想通信リンクあるいは仮想通信チャネルを制御するために異なる種類の制御情報をそれぞれ含むことができる。それゆえ、システムの一層高い柔軟性と効率のために、制御データ・パケットを短く保つことができる。仮想接続を介したデータの伝送用の時間スロットは、第二の種類の制御データ・パケット内の時間スロット予約信号によって確保または指示することができる。さらに、仮想リンクを介した通信を設定するためおよび（あるいは）通信リンクを維持するための信号をその中に包含させることができる。さらに、第二の種類の制御データ・パケットは、仮想リンクを介して伝送されるペイロード・データ・パケットの正誤（正しさあるいは間違い）をシグナルするのに用いることができる誤り制御信号を含むことができる。
【００２９】
有利なことに、第三の種類の制御データ・パケットの長さは、第二の種類の制御データ・パケットの長さの整数倍でよく、それゆえ、伝送効率をさらに向上させる。
【００３０】
さらに、制御データ・パケットの種類とそれらの構造を定義することにより、制御データ・パケットの分析は、使用された通信モデルのより高位の層からの受信通知を待たずに直接有利に行うことができる。
【００３１】
本発明の別の有利な実施例では、この通信システムでのデータ伝送は、ＯＳＩ参照モデルに対応して行うことができる。さらに、制御データ・パケットはＭＡＣプロトコル・データ単位を含むことができ、データ伝送はＡＴＭを介して行うことができる。
【００３２】
他の有利な実施例は他の従属した請求項により明らかになる。
【００３３】
本発明は添付図面に関連して最も良く理解され得るだろう。
【００３４】
（実施例の詳細な説明）
以下に、本発明の実施例を図１に関連して説明する。
【００３５】
図１は、二つの基地局Ｂとさらに複数の移動局Ｍ１−Ｍｎを含む本発明の通信システムを示す。仮想通信リンクＣ１−Ｃｍが、基地局Ｂの一つと移動局Ｍ１−Ｍｎとの間に設定される。各移動局は、基地局に対して一つあるいは複数の通信リンクを維持することができる。
【００３６】
図１は二つの基地局Ｂだけを表示しているが、本発明の通信システムは、好ましくは、各々が複数の移動局に接続される複数の基地局ばかりでなく別の送信ユニットも含む。
【００３７】
図１の実施例では、前記通信リンクＣ１−Ｃｍは多重技術を用いて単一の周波数帯域に設定されていると仮定する。この通信システムは、好ましくは、たとえ一つだけが示されているとしても、複数の周波数帯域を使用し、各周波数帯域が多重動作で一群の移動電話にサービスを提供するのに用いられる。
【００３８】
本明細書の導入部で略述したように、本発明の通信システムは、各移動局毎に要件適合型通信リンク容量を提供する。即ち、データの伝送のために必要とされるだけの伝送媒体の帯域幅がそれぞれの通信リンクに割り当てられる。この要件適合型交換のため、周波数帯域内のデータ伝送フレームが複数の時間スロットに分割される。そして、各時間スロットは、移動局の一つによって、対応する仮想通信リンクを介したデータ伝送のために、必要に応じて利用できる。
【００３９】
要件適合型交換は、それぞれの移動電話および仮想通信リンクへの時間スロットの動的な割り当てを制御するために、種々の制御メッセージを必要とする。データ伝送の前記制御は、まず、一つの伝送フレームの時間スロットへの分割に関する制御命令を必要とする。これには、例えば、時間スロットについての開始および終了タイミングの正確な割り当てや、どの時間スロットが移動局Ｍ１−Ｍｎから基地局Ｂへのデータの伝送のために使用され、どの時間スロットが基地局Ｂから移動局Ｍ１−Ｍｎへの情報の伝送のために使用されるのかについての定義を含めることができる。
【００４０】
そのため、第一の種類の制御データ・パケットＳ１が提供され、これは基地局Ｂから仮想リンクＣ１−Ｃｍの各々を介して複数の作動可能な移動局Ｍ１−Ｍｎの各々に伝送される。この第一の種類の制御データ・パケットＳ１は、伝送媒体の時間スロットへの分割に関する情報またはメッセージを少なくとも含むものであり、データ伝送の基本的な構造を定めるために、作動可能な移動局の各々によって受信され分析されるだろう。
【００４１】
さらに、要件適合型データ伝送を実施するには、基地局と移動局Ｍ１−Ｍｎの各一つとの間を伝送される制御情報が必要である。これらのメッセージは、例えば、基地局と対応する移動局との間の通信リンクを制御するための制御命令であり得る。あるいは、移動局Ｍ１−Ｍｎの一つからの時間スロットに関する予約要求を含むことができる。
【００４２】
そのため、第二の種類の制御データ・パケットＳ２１−Ｓ２４が提供され、これらの各々は対応する仮想接続を制御するために仮想リンクＣ１−Ｃｍの一つを介して伝送される。
【００４３】
さらに、ペイロード・データ・パケットが仮想リンクを介して伝送されるはずで、例えば、スピーチ信号を伝送する。そのため、第三の種類の制御データ・パケットＳ３が定められ、これらの各々は仮想接続Ｃ１−Ｃｍの一つを介して伝送され、それは少なくとも一つのペイロード・データ・パケットを含む。
【００４４】
別の実施例では、少なくとも一つの通信リンクＣ１−Ｃｍは複数のチャネルに分割できる。これらの複数のチャネルは、例えば、異なる意図の目的に関連してペイロード・データを対応する移動局へ伝送するのに使用できる。それゆえ、例えば、音声データを一つのチャネル上で伝送し、映像データを他のチャネル上で伝送することができる。この場合、制御データ・パケットは各チャネル上を互いに独立に伝送できる。即ち、第二の種類の制御データ・パケットＳ２１−Ｓ２４と第三の種類の制御データ・パケットＳ３がそれぞれの各チャネルを介して伝送される。
【００４５】
コネクション型通信のための上記メッセージの分割によれば、通信のために最も重要なメッセージは主に第一の種類の制御データ・パケットＳ１で伝送される。基地局Ｂと移動局Ｍ１−Ｍｎの一つとの間の仮想接続Ｃ１−Ｃｍを制御するための制御情報は、ただ一つの単一の移動局Ｍ１−Ｍｎに関するだけであるので、重要性（重要度）が少ない方であり、この種類の制御情報は第二の種類の制御データ・パケットＳ２１−Ｓ２４で伝送される。通信システム内でデータ通信を維持する点からみると、ペイロード・データ・パケットは最も重要性の少ない情報であり、第三の種類の制御データ・パケットＳ３で伝送される。
【００４６】
メッセージを重要度に従ってグループ分けする概念と特定の重要度レベルのメッセージの対応する種類の制御データ・パケットを用いた伝送は、重要度に従って伝送情報の正確な受信を保証する手段を提供するのを有利に許す。
【００４７】
明らかに、伝送媒体の基本的な構築に関する情報は最も重要度が高く、この情報が得られなければ、基地局Ｂと移動局Ｍ１−Ｍｎの一つとの間のデータ伝送は実行できない。そのため、本発明の別の実施例では、第一の種類の制御データ・パケットＳ１に関連して順方向誤り制御信号を伝送し、それによって、受信局（即ち、移動局Ｍ１−Ｍｎのうちの）が伝送誤りを訂正できるようにする。事によると必要な誤り訂正を最も高い確率で許すためには、伝送されるデータに関して大きな冗長性を与える順方向誤り制御信号を、第一の種類Ｓ１の制御データ・パケットＳ１に関連して伝送するのが好ましい。
【００４８】
第二の種類の制御データ・パケットＳ２１−Ｓ２４は、上記したように、データ通信リンクを設定するため、あるいは、基地局Ｂと移動局Ｍ１−Ｍｎとの間の接続を維持するために働く。妨害のない接続が望ましいので、これらの第二の種類の制御データ・パケットＳ２１−Ｓ２４に対しては、これらの制御データ・パケットについても誤り訂正を可能とするために順方向誤り制御信号を有利に伝送することができる。上で略述したように、第二の種類の制御データ・パケットＳ２１−Ｓ２４の重要性は通信システム内のデータ伝送を維持するためには第一の種類の制御データ・パケットＳ１より少ないので、順方向誤り制御信号への要求は低い。それゆえ、第一の種類の制御データ・パケットＳ１に対する順方向誤り制御信号よりも低い冗長性を示す順方向誤り制御信号を、第二の種類の制御データ・パケットＳ２１−Ｓ２４に関連して伝送することができる。
【００４９】
第三の種類の制御データ・パケットＳ３は通信システム内のデータ伝送を実行するためには最も重要性が少なく、それゆえ、これらの制御データ・パケットに対しては、第一の種類の制御データ・パケットＳ１および第二の種類の制御データ・パケットＳ２１−Ｓ２４に対する順方向誤り制御信号よりも比較的低い冗長性を示す順方向誤り制御信号を設けることができる。
【００５０】
このように、順方向誤り制御信号についての特別に適合させた機構を、各制御データ・パケット毎に、それぞれの制御データ・パケットに含まれている情報の重要度を考慮に入れて、設けることができる。
【００５１】
好ましくは、順方向誤り制御信号は制御データ・パケット毎に設けられるが、しかしながら、通信システムの効率を高めるためには、制御データ・パケットの全ての種類（Ｓ１、Ｓ２１−Ｓ２４、Ｓ３）に対して設けるわけでもないことが有り得る。
【００５２】
また、順方向誤り制御信号の提供には通信リンクの予想誤り率を考慮することが好ましい。即ち、低い誤り率の通信リンクに対しては、それに対応して順方向誤り制御信号の冗長性を減少させてもよい。即ち、伝送誤りの訂正能力を伝送媒体の伝送品質に適合させ、それによって伝送システムの効率を最適化する。
【００５３】
本発明の別の実施例では、通信システム内のデータ伝送はＡＴＭ（非同期転送モード）に基づいて実施できる。さらに、データ伝送はＯＳＩ参照モデルに従って実施できる。本明細書の導入部で略述したように、ＡＴＭは、ＯＳＩ参照モデルにおいて少なくともリンク層と物理層の部分をカバーする。この場合、前記制御データ・パケットは、本明細書の導入部で既に説明したようなプロトコル・データ単位である。三種類のプロトコル・データ単位を用いて、柔軟性があって効率的なＭＡＣプロトコルが定義できる。
【００５４】
上で説明したコネクション型通信を維持するためのメッセージの分割の概念によれば、順方向誤り制御がＯＳＩ参照モデルの物理層上で既に実施できる。このことは、効率の意義ある向上を許す。
【００５５】
さらに、制御データ・パケットの内容の選択は、各制御データ・パケット内で低いオーバヘッドを通して高い伝送効率を与える。その上、内容が異なり得る前記第二の種類の短い制御データ・パケットＳ２１−Ｓ２４は、制御データの柔軟性のある効率的な伝送を許す。
【００５６】
次に、図２Ａから図２Ｃに関連して、本発明の通信システムの他の実施例を説明する。
【００５７】
図２Ａから図２Ｃは、第一、第二および第三の種類の制御データ・パケットＳ１、Ｓ２１−Ｓ２４およびＳ３の実施例を示す。図１に関連して既に略述したように、該制御データ・パケットは、通信システム中で要件適合型通信を行うために必要なメッセージを含む。以下に、これらのメッセージのグループへの分割のための好適な実施例を説明する。
【００５８】
次の六つのグループを定義する。
１）複数の時間スロットを伴う多重技術を用いて周波数帯域内に複数の通信リンクＣ１−Ｃｍおよび（あるいは）チャネルを設定するための伝送フレームの基本的な構造に関するメッセージ。これらのメッセージは、各伝送の始めに基地局から各作動可能な移動局Ｍ１−Ｍｎに伝送されなければならない。各作動可能な移動局は、伝送フレームの構造を知らなければ基地局と移動電話との間の制御されたデータ伝送は不可能なので、これらのメッセージを受信し分析しなければならない。これらのメッセージは重要度の最も高いものであり、この意味で、伝送誤りに非常に敏感であるのは明らかである。そのため、この種類のメッセージに関連して、好ましくは、順方向誤り制御のためのデータが伝送され、それによって受信局が誤りを訂正できるようにする。順方向誤り制御のための信号は、誤り制御に対して特に良好な基礎となることが好ましい。
【００５９】
２）第二のグループのメッセージは、仮想通信リンクＣ１−Ｃｍを識別するヘッダ・メッセージである。仮想通信リンクが複数の仮想チャネルに分割される場合、仮想チャネルもヘッダ・メッセージ内で識別できる。もしこのグループのメッセージが作動可能な移動局Ｍ１−Ｍｎの一つから基地局Ｂに伝送されるなら、このグループのメッセージは基地局の識別信号も含み得る。それゆえ、もし複数の基地局が移動局からの信号の受信領域内に置かれているなら、仮想通信リンクに対応した基地局が選択できることを保証できる。さらに、このグループのメッセージは移動局Ｍ１−Ｍｎについての識別信号も含むことができ、それにより、これらのメッセージが一つの仮想リンク／チャネルを介して対応する移動局に単に伝送されるのを保証する。好ましくは、これらのメッセージは制御データ・パケットの始めに発信者および受信者を識別するために伝送され得る。これらのメッセージも一連の制御データ・パケット全体の始めに伝送でき、それゆえ、発信者および受信者が１回だけ識別されることになる。このことは、通信システムにおける通信の効率を高めるのに利用できる。
【００６０】
３）要件適合型通信のための第三のグループのメッセージは、仮想通信リンク／チャネルを制御するメッセージである。このグループのメッセージは、作動可能な移動局Ｍ１−Ｍｎと基地局Ｂとの間のデータ伝送のための通信リンク／チャネルを用意するために用いられ、また、通信リンク／チャネルを維持するのに利用できる。このグループのメッセージは基地局と対応する移動局との間の一つの仮想通信リンク／チャネルを介してのみ伝送されるのが好ましい。
【００６１】
４）要件適合型通信のための第四のグループのメッセージは、移動局Ｍ１−Ｍｎの予約要求を含むメッセージである。これらのメッセージは、通常、移動局から基地局Ｂに伝送される。そして、対応する移動局のために伝送フレーム内に或る時間スロットを確保するための要求を含む。このグループのメッセージのために特別な時間スロットを、好ましくは、グループ１）のメッセージを介して、伝送フレーム内に設けることができる。
【００６２】
５）要件適合型通信のための第五のグループのメッセージは、誤り制御メッセージである。これらのメッセージは、信頼性のあるデータ伝送を制御するために設けられる。好ましくは、それらは基地局Ｂと移動局Ｍ１−Ｍｎとの間を伝送される。これらのメッセージによれば、例えば、データ受信の正誤がシグナルできる。このことは、例えば、機密保護の理由のためやデータの再伝送を始めるために、受信局が記憶したデータを消去するのを許す。
【００６３】
６）要件適合型通信のための第六のグループのメッセージは、ペイロード・データ・パケットを含む。
【００６４】
上で既に略述したように、グループ１）のメッセージは誤りに対して特に敏感であり、他方、グループ２）から５）のメッセージは誤りに対して中間の敏感性を示し、グループ６）のメッセージは誤りに対して最も少ない敏感性を示す。そのため、それぞれグループ１）から６）のメッセージは誤り制御に対して異なるオプション（選択の自由度）を持って伝送されるのが好ましい。
【００６５】
次に、そのようなメッセージの第一、第二および第三の種類の制御データ・パケットＳ１、Ｓ２１−Ｓ２４およびＳ３への分割の実施例を図２Ａから図２Ｃに関連して説明する。
【００６６】
始めに、第一の種類の制御データ・パケットＳ１の実施例を図２Ａに関連して説明する。
【００６７】
第一の種類の制御データ・パケットＳ１は基地局Ｂから全ての仮想通信リンクを介して作動可能な移動局Ｍ１−Ｍｎにそれぞれ伝送されるもので、伝送フレームの基本的な構築を含んでいる。そのため、第一の種類の制御データ・パケットＳ１は、グループ１）の通信適合型通信を実行するためのメッセージを主に含む。第一の種類の制御データ・パケットＳ１は、例えば、通信フレームを基地局から移動局へのダウンリンク伝送のための時間スロットおよび移動局から基地局へのアップリンク伝送のための時間スロットに分割するのに使用できる。さらに、第一の種類の制御データ・パケットＳ１は、基地局Ｂあるいは移動局Ｍ１−Ｍｎをそれぞれ識別するための識別信号を含む。この識別信号は、作動可能な移動局Ｍ１−Ｍｎに、仮想通信リンクがこの基地局Ｂに対して設定されるべきである旨を通知するのに使用できる。図２ａに示した信号の他に、検査合計（チェック・サム）を誤り検出の実行のために第一の種類の制御データ・パケットＳ１と共に伝送してもよい。
【００６８】
別の実施例では、本発明の通信システムがＡＴＭを用いてデータを伝送する場合、第一の種類の制御データ・パケットＳ１はＭＡＣフレーム構造に関するメッセージを特に含むことができる。
【００６９】
次に、第二の種類の制御データ・パケットＳ２１−Ｓ２４の実施例を図２ｂに関連して説明する。
【００７０】
第二の種類の制御データ・パケットは、好ましくは、一定の長さを有するが、いかしながら、それらは異なるメッセージを含むことができる。上で略述したように、第二の種類の制御データ・パケットＳ２１−Ｓ２４は、特定の仮想通信リンクＣ１−Ｃｍあるいは特定の仮想通信チャネルに関する制御情報を含む。第二の種類の制御データ・パケットＳ２１−Ｓ２４は、好ましくは、全て同じ長さを有する。また、必要に応じて個々別々にあるいは順次に伝送できる。図２ｂの実施例では、ヘッダ制御データ・パケットＳ２１、リンク制御データ・パケットＳ２２、予約制御データ・パケットＳ２３および誤り制御データ・パケットＳ２４の四つのタイプの第二の種類の制御データ・パケットが定義されている。
【００７１】
ヘッダ制御データ・パケットＳ２１は、伝送されるべき制御データ・パケットのシーケンスを示すために、シーケンス情報を少なくとも含むことができる。そのため、ヘッダ制御データ・パケットＳ２１は、グループ２）の要件適合型通信を実行するためのメッセージを主に含み得る。発信者および受信者に関する情報は、一連の制御データ・パケットの始めに、ヘッダ制御データ・パケットＳ２１を用いて１回伝送すればよく、この情報はその後に続く制御データ・パケットに対しては要求されない。
【００７２】
リンク制御データ・パケットＳ２２は、通信接続あるいはチャネルを介したペイロード・データ通信を設定するためのメッセージを少なくとも含むことができ、また、該接続あるいはチャネルを維持するためのメッセージを含むことができる。ペイロード・データの伝送はこれらのメッセージを用いて設定することができ、通信接続あるいはチャネルがそれぞれ維持できる。リンク制御データ・パケットＳ２２は、グループ３）のメッセージを主に含み得る。
【００７３】
通信システムがＡＴＭに従ってデータを伝送する場合には、ＭＡＣ／ＬＬＣ層（媒体アクセス制御／論理リンク制御）に関するメッセージを伝送することができる。
【００７４】
予約制御データ・パケットＳ２３は、時間スロットを確保するために移動局Ｍ１−Ｍｎによって使用される予約信号を少なくとも含むことができる。これらの制御データ・パケットは、通常、一つの移動局から基地局Ｂへのアップリンクを介して伝送される。予約制御データ・パケットＳ２３は、グループ４）のメッセージを特に含み得る。
【００７５】
データ伝送がＡＴＭ法に従って実行される場合には、ＭＡＣ伝送フレーム内の専用の時間スロットがこれらの制御データ・パケットのために確保され得る。
【００７６】
誤り制御データ・パケットＳ２４は、信頼性のあるデータ伝送を制御し保証するために、誤り制御情報を少なくとも含むことができる。有利なことに、グループ５）のメッセージが誤り制御データ・パケットに含まれ得る。制御データ・パケットに適合した誤り制御を、誤り制御データ・パケットを用いて、好ましくは、重要度に対応した制御データ・パケットを考慮して、行うことができる。
【００７７】
次に、第三の種類の制御データ・パケットＳ３の実施例を図２ｃに関連して説明する。
【００７８】
この制御データ・パケットの各々は、実際のデータ伝送のために用いられるペイロード・データ・セルを含む。この種類のデータ・パケットは、ペイロード・データ・セルに加えて、対応する通信リンクあるいは該通信リンクに関連した通信チャネルに関するメッセージを含む。
【００７９】
通信システムがＡＴＭに従ってデータ伝送を実施する場合は、ペイロード・データ・セルはＡＴＭセルである。従って、第三の種類の制御データ・パケットＳ３は、好ましくは、グループ６）およびグループ２）のメッセージを含む。この制御データ・パケットはまた、ペイロード・データ・セルのシーケンスを示すためにシーケンス・ナンバー（シーケンス番号）を含み得る。シーケンス・ナンバー（ＡＴＭ法の場合にはＡＲＱナンバー）は、ペイロード・データ・セルの正しいシーケンスを設定するのに受信局をサポートする。
【００８０】
第一の種類の制御データ・パケットＳ１に関連して既に略述したように、他の全ての制御データ・パケットも、誤り検出を行うために検査合計を含むことができる。ＡＴＭの場合、これはＣＲＣ検査合計でよい。
【００８１】
制御データ・パケットの実施例は単なる例であって、制御データ・パケットはここに指摘されたメッセージを必ずしも含まなければならないとは限らない。また、追加のメッセージを含んでもよい。
【００８２】
要件適合型無線通信を実行するためのメッセージを重要度に応じて多重法を用いてグループ分けすること、およびこれらグループ分けしたメッセージを第一、第二または第三の種類の制御データ・パケットＳ１、Ｓ２１−Ｓ２４またはＳ３で伝送することによって、適合した順方向誤り制御が物理層で既に実施されていてもよい。即ち、前記制御データ・パケットのそれぞれの重要性に対応した冗長性を有する順方向誤り制御信号を、該制御データ・パケットに関連づけて伝送することができる。
【００８３】
制御データ・パケットの正確に定義された内容は、受信局での制御データ・パケットの即時の分析を、例えば、ハードウエアを用いて可能にする。特定の制御データ・パケットの部分を最初に分析するということは必要ない。それゆえ、もし伝送がレイヤード通信モデルに従って実行されるなら、受信局ＢまたはＭ１−Ｍｎは制御データ・パケットＳ１、Ｓ２１−Ｓ２４またはＳ３を、通信モデルの高位の層からの入力を待つ必要なしに、複号器を用いて分析することができる。それにより、特に効率的なデータ伝送が可能になる。
【００８４】
ＯＳＩ参照モデルの場合、制御データ・パケットの受信時にＭＡＣ層の返答を待つことはそれゆえ必要ない。
【００８５】
次に、伝送フレーム内での制御データ・パケットの伝送についての実施例を図３に関連して説明する。
【００８６】
図３には二つの伝送フレームが示されており、それぞれ複数の時間スロットに分割されている。さらに、伝送フレームは、データが基地局Ｂから移動局Ｍ１−Ｍｎに伝送されるダウンリンク領域ＤＬと移動局から基地局に伝送されるアップリンク領域ＵＬに分割されている。一つの伝送フレームの始めには、それぞれの伝送フレームの時間スロット、ダウンリンク領域ＤＬおよびアップリンク領域ＵＬへの基本的な構築を定めるために、第一の種類の制御データ・パケットＳ１を伝送する必要がある。第一の種類の制御データ・パケットＳ１の後にはダウンリンク領域ＤＬ内に任意の数の第二の種類の制御データ・パケットＳ２１−Ｓ２４が続き、その後に任意の数の第三の種類の制御データ・パケットＳ３が続く。
【００８７】
ダウンリンク領域ＤＬの後に続くアップリンク領域ＵＬ内ではそれ以上に第一の種類の制御データ・パケットを伝送する必要はない。その理由は、第一の種類の制御データ・パケットＳ１の最初の送信によって、その伝送フレームの構造が既に決定されているからである。それに代わって、直ちに任意のシーケンスの第二および第三の種類の制御データ・パケットを伝送することができる。多数の第三の種類の制御データ・パケットＳ３が後に続く一連の第二の種類の制御データ・パケットＳ２１−Ｓ２４が示されている。
【００８８】
第三の種類の制御データ・パケットＳ３は、効率的なデータ伝送を可能にするためには、第二の種類の制御データ・パケットＳ２１−Ｓ２４の長さの整数倍の長さを有するのが好ましい。
【００８９】
図３の右側にある次の伝送フレームでは、基本的に同じ構造が繰り返されているが、第一の種類の制御データ・パケットＳ１を伝送しなければならない伝送フレームの始めを除いては、任意のシーケンスの制御データ・パケットを伝送できる。
【００９０】
リンク領域ＤＬおよびＵＬの各々について、単一の移動局に適当に伝送されるような一連の制御データ・パケットが示されている。しかしながら、別の実施例では、複数の移動電話に対する複数シーケンス分の制御データ・パケットが、接続あるいはチャネルに関連した制御データ・パケットのブロックかあるいはインターリーブ様式のいずれかで、リンク領域ＤＬおよびＵＬの各々の中で伝送され得る。
【００９１】
次に、伝送フレーム内での制御データ・パケットの伝送についての他の実施例を図４に関連して説明する。
【００９２】
伝送フレームの始めに伝送される第一の種類の制御データ・パケットは、該伝送フレームの構造を定義するものである。これはアップリンク領域ＤＬおよびダウンリンク領域ＵＬを含む。
【００９３】
図４において、伝送フレームの始めの伝送期間は灰色にハッチングしてあり、この期間内に、該伝送フレームの構造を定める第一の種類の制御データ・パケットＳ１が伝送される。ダウンリンク領域中の次に続いている時間スロットは、基地局Ｂから移動局Ｍ１−Ｍｎの一つへの伝送のために確保されている。これらの確保された時間スロットは、基地局Ｂと作動可能な移動局との間での制御情報の伝送のために使用できる。ダウンリンク伝送領域の後に続くアップリンク伝送領域の時間スロットは、作動可能な移動局から基地局への伝送のために確保されている。
【００９４】
任意のランダム・アクセス時間スロット（図示されていない）を設けることができる。これらは基地局と作動可能な移動局の一つとの間の伝送のために確保されているわけではない。移動局は必要とされるデータをこれらのランダム・アクセス時間スロット内で伝送することができ、それゆえ、移動局は基地局へのデータ送信を競い合う。
【００９５】
アップリンク伝送領域の始めに、幾つかの時間スロットがハッチングして示されている。これらの時間スロットは、移動局が必要な情報を伝送することができてそれらが送信を競い合うランダム・アクセス時間スロットとして、設けることができる。例えば、移動局の一つは、基地局に対して通信要求あるいはこれに類するものを送信することができる。任意の数のランダム・アクセス時間スロットを伝送フレーム内の任意の位置に設けることができる。
【００９６】
次のダウンリンク伝送領域では、最初に確保された時間スロット内で、例えば、図２ｂに関連して説明したようなヘッダ制御データ・パケットＳ２１が移動局Ｍａに対して伝送される。この移動局Ｍａは基地局に接続された任意の移動局でよい。その次の時間スロットでは、誤り制御データ・パケットＳ２４が誤り制御のために移動局Ｍａに対して伝送される。続いて、一連の第三の種類の制御データ・パケットＳ３が移動局Ｍａに伝送される。
【００９７】
任意の数あるいはシーケンスの制御データ・パケットが伝送できる。しかしながら、有利なことに、移動局Ｍａに対する先頭のヘッダ制御データ・パケットＳ２１中で、後に続く第二の種類の制御データ・パケットＳ２２−Ｓ２４および第三の種類の制御データ・パケットＳ３のシーケンスが定義されている。このことは、非常に効率的なデータ伝送を許す。その上、該制御データ・パケットを用いることによって、それぞれの接続あるいはチャネルに対するチャネル容量の非常に正確な割り当てを行うことができる。
【００９８】
確保された時間スロットで始まる次の一連の時間スロットでは、移動局Ｍ１−Ｍｎのうちの任意の一つである移動局Ｍｂに対してヘッダ制御データ・パケットＳ２１が伝送される。有利なことに、どのシーケンスの制御データ・パケットが移動局Ｍｂに伝送されるのかが再び定義される。図示の実施例では、一連の誤り制御データ・パケットＳ２４が伝送されている。それに続いて、一連の第三の種類の制御データ・パケットＳ３が伝送されている。ここでもまた、任意のシーケンス分の制御データ・パケットが伝送できる。
【００９９】
引き続いて、別の移動局に対する時間スロットを確保することができるが、しかしながら、本例では、二つの移動局だけが仮定されている。
【０１００】
ダウンリンク伝送領域ＤＬの次に、移動局Ｍ１−Ｍｎから基地局Ｂへの伝送のためのアップリンク伝送領域ＵＬが続いている。特定の移動局に対して時間スロットが確保されている。まず、最初の時間スロットで、ヘッダ制御データ・パケットＳ２１が、作動可能な移動局Ｍ１−Ｍｎのうちの任意の移動局Ｍｘから基地局Ｂに伝送される。その後に、接続の制御、設定あるいは接続の維持のための一連の予約制御データ・パケットＳ２３が続いている。続いて、誤り制御を実行するための一連の誤り制御データ・パケットＳ２４が伝送される。引き続いて、ペイロード情報を含む一連の制御データ・パケットＳ３が伝送される。
【０１０１】
移動局Ｍｘからのメッセージの後には、基地局Ｂに接続された移動局Ｍ１−Ｍｎのうちの任意の一つの移動局Ｍｙからの制御データ・パケットの伝送が、類似の様式で続いている。
【０１０２】
上で既に略述したように、特定の通信リンクあるいはチャネルに関する制御データ・パケットの伝送についての時間スロットの割り当ては、好ましくは、容量要件に応じて動的に実行できる。さらに、第二の制御データ・パケットＳ２１−Ｓ２４の伝送についての時間スロットの割り当ては、第三の制御データ・パケットＳ３の伝送についての時間スロットの割り当てを行う前に、優先して実行できる。
【０１０３】
次に、図５に関連して、確保された時間スロットの実施例を説明する。図５は、ランダム・アクセス時間スロットと呼ばれる二つの確保された時間スロットをそれぞれ含む三つのシーケンスを示している。基地局に接続された全ての移動局Ｍ１−Ｍｎが、これらの時間スロット内でデータの送信を競い合うことができる。図５には、図２に関連して説明したような制御データ・パケットの伝送についての例が示されている。
【０１０４】
図５の左側のランダム・アクセス時間スロットの対は、図２ｂに関連して略述したような、シーケンス信号を含むヘッダ制御データ・パケットＳ２１と予約制御データ・パケットＳ２３とのシーケンスを移動局Ｍｘに関して含む。それゆえ、グループ２）およびグループ４）の要件適合型通信を維持するためのメッセージを含むことができる。
【０１０５】
中央の実施例では、移動局Ｍｘについてのヘッダ制御データ・パケットＳ２１と誤り制御データ・パケットＳ２４とのシーケンスを含むランダム・アクセス時間スロットの対が示されている。それゆえ、この制御データ・パケットのシーケンスは、例えば、シーケンス情報あるいは誤り制御信号を伝送するために、グループ２）およびグループ５）の要件指向形通信を実行するためのメッセージを含むことができる。
【０１０６】
図５の右側のランダム・アクセス時間スロットの対は、ヘッダ制御データ・パケットＳ２１と通信制御データ・パケットＳ２２とのシーケンスを示す。それゆえ、通信の設定あるいは通信の維持のためのグループ２）およびグループ３）のメッセージが伝送できる。
【０１０７】
ここで示したように一連の制御データ・パケットの始めにヘッダ制御データ・パケットＳ２１を伝送することは、そこに含まれるメッセージは１回伝送されるだけであるから、データ伝送の効率を高めることになる。
【図面の簡単な説明】
【図１】  本発明による通信システムの実施例を概略的に示す。
【図２】  第一、第二および第三の制御データ・パケットの内容の実施例を示す。
【図３】  二つの伝送フレームの時間スロットの制御データ・パケットへの割り当ての実施例を概略的に示す。
【図４】  伝送フレームと時間スロットの制御データ・パケットへの割り当てについての別の実施例を示す。
【図５】  ランダム・アクセス時間スロットの割り当ての実施例を示す。
【図１】
0003943331.tif 000003
【図２】
0003943331.tif 000004
【図３】
0003943331.tif 000005
【図４】
0003943331.tif 000006
【図５】
0003943331.tif 000007